(57)【要約】【課題】  操作禁止札による運用では、各点検工事毎に各ロック機器毎に実際に操作禁止札を掛けて回る必要があり、１つのロック機器でも各点検工事に重複すればその枚数だけ札が掛けられる必要があった。またロックの解除は、各ロック機器からすべての札が無くなったことを現場で確認をする必要があった。【解決手段】  本発明は、各点検作業の作業件名にそれぞれ異なる作業票番号を付し、各作業件名毎にロックされる操作機器の一覧を作成し、作業票番号、作業件名およびロックされる操作機器のデータベースを予め準備し、作業票番号又は作業件名からロックされる操作機器の一覧を表示して操作機器の操作日の欄に点検作業を開始した日付けを入力し、ロックされる操作機器から逆に作業票番号および作業件名の一覧を出して入力された点検作業を開始した日付けの有無から点検作業の操作あるいは未操作を判別することで操作機器のロックの解除を判断できることで解決する。【選択図】  図１
2007047992.tif 000002
【特許請求の範囲】
【請求項１】
各点検作業は作業票番号により管理され、前記点検作業ごとに予め決められたロックされる操作機器が多数ある発電プラントの点検システムにおいて、前記各点検作業の作業件名にそれぞれ異なる作業票番号を付し、前記各作業件名ごとにロックされる操作機器の一覧を作成し、前記作業票番号、作業件名およびロックされる前記操作機器のデータベースを予め準備し、前記作業票番号あるいは前記作業件名から前記ロックされる操作機器の一覧を表示して前記操作機器の操作日の欄に点検作業を開始した日付けを入力し、前記ロックされる操作機器から逆に前記作業票番号および前記作業件名の一覧を出して入力された前記点検作業を開始した日付けの有無から点検作業の操作あるいは未操作を判別することで前記操作機器のロックの解除を判断することを特徴とする発電プラントの点検システム。
【請求項２】
前記作業票番号は前記作業件名と対応しており、前記作業件名に複数のロックされる前記操作機器がリストされることを特徴とする請求項１に記載の発電プラントの点検システム。
【請求項３】
前記操作機器には前記作業票番号に無関係の操作禁止札が１個のみ取り付けられ、点検開始時に取り付けられ、前記操作機器に関係するすべての作業件名が完了したときに取り外されることを特徴とする請求項１に記載の発電プラントの点検システム。
【請求項４】
前記操作機器の操作日は関係する前記作業件名毎の一覧で表示される前記操作機器に一括で入力されることを特徴とする請求項１又は請求項２に記載の発電プラントの点検システム。
【請求項５】
前記操作機器の復旧日は関係する前記作業件名毎の一覧で表示される前記操作機器に一括で入力されることを特徴とする請求項１又は請求項２に記載の発電プラントの点検システム。
【発明の詳細な説明】
【技術分野】
【０００１】
本発明は発電プラントの点検システムに関し、特に、定期点検時や運転中に何らかの異常が発生した場合の発電プラントの点検システムに関するものである。
【背景技術】
【０００２】
図９では６軸の発電ユニット１で１号系列を構成し、４軸の発電ユニット１で２号系列を構成している。各系列はそれぞれの制御システム２により運転を制御され、中央制御室の大型スクリーン３で監視されている。中央制御室では各系列の各軸の発電ユニット１の運転スケジュールを決めて、実際の需要電力量の状況に合わせて必要な軸数の発電ユニット１を運転し、不要な軸の発電ユニット１は停止している。
【０００３】
図１０に一般的な発電ユニットの概略図を示す。
【０００４】
吸気ダクト１１から取り入れた空気を圧縮機１２で、圧縮して燃料と混合して燃焼器１３で燃焼させる。燃焼器１３からガスをガスタービン１４に供給し、ガスタービン１４の回転で発電機１５を回転させる。ガスタービン１４からの排気ガスは排熱回収ボイラー１６に送られて、排熱を利用して高圧蒸発器１８及び低圧蒸発器２０で復水器２５で回収した水を再度蒸気にして蒸気タービン２４に送り、蒸気タービン２４の回転も発電機１５に伝える。蒸気タービン２４で用いた蒸気は復水器２５で冷却して水にして回収する。上述したガスタービン１４及びその排熱で回す蒸気タービン２４により効率の良く発電機１５を回転させるコンバインド発電ユニットを実現している。
【０００５】
図１０を参照して発電ユニットの動作を更に詳細に説明する。
【０００６】
吸気ダクト１１から取り入れた空気を圧縮機１２で、圧縮して燃料と混合して燃焼器１３で燃焼させる。燃焼器１３からガスをガスタービン１４に供給し、ガスタービン１４の回転で発電機１５を回転させる。ガスタービン１４は同じ回転軸で発電機１５と連結され、更に蒸気タービン２４とも連結されている。
【０００７】
ガスタービン１４からの排気ガスは排熱回収ボイラー１６に送られて、排熱を利用して高圧蒸発器１８及び低圧蒸発器２０で復水器２５で回収した水を再度蒸気にして蒸気タービン２４に送っている。排熱回収ボイラー１６内には加熱器１７、２段の高圧蒸発器１８、１８、高圧節炭器１９、低圧蒸発器２０、低圧節炭器２１と設けられ、排熱から蒸気を作っている。更に、図示はしないが脱硝装置も設けられて排気ガスを清浄化している。
【０００８】
排熱回収ボイラー１６で発生された高圧主蒸気および低圧主蒸気は高圧蒸気ドラム２２および低圧蒸気ドラム２３を通して蒸気タービン２４に送られ、蒸気タービン２４を回転させる。排熱回収ボイラー１６からの排気は煙突３３を介して外気に排出される。
【０００９】
蒸気タービン２４で用いた蒸気は真空保持中の復水器２５で冷却して水にして回収される。復水器２５には取水路から循環ポンプ２８で冷却水（海水）が取り込まれ、冷却をしてから放水路に排出される。復水器２５の水は復水ポンプ２９でグランド蒸気復水器３０を通り、低圧給水止弁３１から低圧節炭器２１に送られる。低圧節炭器２１から低圧蒸発器２０に送られて低圧主蒸気にして低圧蒸気ドラム２３に導かれる。また、低圧節炭器２１から高圧給水止弁３２を通して高圧節炭器１９、高圧蒸発器１８、１８に送られて高圧主蒸気にして高圧蒸気ドラム２２に導かれる。
【００１０】
低圧主蒸気は低圧蒸気ドラム２３から低圧加減弁２７を介して蒸気タービン２４の後段に供給される。高圧主蒸気は高圧蒸気ドラム２２から過熱器１７を通り、高圧加減弁２６を介して蒸気タービン２４の前段に供給されており、蒸気タービン２４の回転をさせる。
【００１１】
復水器２５には真空破壊弁３４および真空ポンプ３５が設けられ、長時間運転を停止するときは真空破壊弁３４を開いて真空破壊する。起動時には真空破壊弁３４を閉じて、真空ポンプ３５で復水器２５内部の真空を形成する。
【００１２】
上述した火力発電所等の火力発電プラントにおいて、定期点検時や運転中に何らかの異常が発生した場合には、ボイラー、蒸気タービン、発電機と数々の配管やバルブの点検を実施している。特に、定期点検の場合はプラント全体を点検するので、各点検項目に従って行われている。
【００１３】
以下にその具体的な点検方法を例を挙げて説明する。
【００１４】
定期点検のための点検工事は８９ほどあり、各点検工事に伴うロック機器数は３３９ほどある。具体的には、２−４軸ガスタービンエンクロージャー分解点検工事、２−４軸ガスタービン本体点検工事、２−４軸ガスタービン燃焼器点検工事等々である。
【００１５】
２−４軸ガスタービンエンクロージャー分解点検工事に伴い６個のロック機器が発生する。Ａガスタービンコンパートメント換気ファン  ２−４Ｃ／Ｃ電源ロック、Ｂガスタービンコンパートメント換気ファン  ２−４Ｃ／Ｃ電源ロック、Ａガスタービンコンパートメント換気ダンパエアー元弁２−４ＳＶ０６−０２−Ａ  閉、Ｂガスタービンコンパートメント換気ダンパエアー元弁２−４ＳＶ０６−０２−Ｂ  閉、２−４ＣＯ２消化設備用電源ＭＣＢ電源ロック、粉末消化設備用ＭＣＢ電源ロックの６個である。
【００１６】
これらのロック機器には１台ずつ定検識別作業票番号を付した１枚の操作禁止札が実際の機器に取り付けられ、この操作禁止札が無くなるまでその機器は操作禁止として扱われる運用を行っている。
【特許文献１】該当なし
【発明の開示】
【発明が解決しようとする課題】
【００１７】
しかしながら、このような操作禁止札による運用では各点検工事毎に各ロック機器毎に実際に操作禁止札を掛けて回る必要があり、１つのロック機器でも各点検工事に重複すればその枚数だけの操作禁止札が掛けられる必要がある。そのために５６５枚の操作禁止札の準備が必要であり、しかも点検工事毎に付される８９種の定検識別作業票番号を付して区別をする必要があった。このために操作禁止札を掛ける作業時間が長くなり、その後の操作ロック一覧表の紙上で操作機器のチェックを行うために更に時間が掛かる大きな問題が発生している。
【００１８】
また、操作機器のロックが解除できるかどうかは各ロック機器からすべての操作禁止札が無くなったことを現場で確認をする必要があり、操作機器のロック状態管理にも非常に時間が掛かる大きな問題もある。
【課題を解決するための手段】
【００１９】
本発明は上述した問題に鑑みてなされ、各点検作業は作業票番号により管理され、前記点検作業ごとに予め決められたロックされる操作機器が多数ある発電プラントの点検システムにおいて、前記各点検作業の作業件名にそれぞれ異なる作業票番号を付し、前記各作業件名ごとにロックされる操作機器の一覧を作成し、前記作業票番号、作業件名およびロックされる前記操作機器のデータベースを予め準備し、前記作業票番号あるいは前記作業件名から前記ロックされる操作機器の一覧を表示して前記操作機器の操作日の欄に点検作業を開始した日付けを入力し、前記ロックされる操作機器から逆に前記作業票番号および前記作業件名の一覧を出して入力された前記点検作業を開始した日付けの有無から点検作業の操作あるいは未操作を判別することで前記操作機器のロックの解除を判断することを特徴とする。
【００２０】
また本発明では、前記作業票番号は前記作業件名と対応しており、前記作業件名に複数のロックされる前記操作機器がリストされることを特徴とする。
【００２１】
更に、本発明では、前記操作機器には前記作業票番号に無関係の操作禁止札が１個のみ取り付けられ、点検開始時に取り付けられ、前記操作機器に関係するすべての作業件名が完了したときに取り外されることを特徴とする。
【００２２】
更に、本発明では、前記操作機器の操作日は関係する前記作業件名毎の一覧で表示される前記操作機器に一括で入力されることを特徴とする。
【００２３】
更に、本発明では、前記操作機器の復旧日は関係する前記作業件名毎の一覧で表示される前記操作機器に一括で入力されることを特徴とする。
【発明の効果】
【００２４】
本発明によれば、作業票番号、作業件名およびロックされる操作機器のデータベースを用いることで、作業件名ごとにロックされる操作機器がすべて一覧に表示でき、操作日を入力するので、作業件名ごとに点検をするときに操作日を入力できる利点がある。また、逆に操作機器から関係する作業票番号および作業件名の一覧が表示できるので、該当する操作機器のすべての作業件名の点検作業の進捗が一目で判別できる利点がある。
【００２５】
また、作業件名からロックされる操作機器の一覧が表示され、一括で関係する操作機器に操作日を一括で入力できる利点もある。すなわち、操作日の入力は８９種の作業件名であれば８９回で済まされる。
【００２６】
更に、ロックされる操作機器にはすべてに１個の操作禁止札を点検開始時に取り付けるだけでよく、ロックされる操作機器の３３９台に取り付けるだけでよい。従来の５６５枚からは大幅に減らせ、作業票番号の確認も不要にできる利点がある。
【００２７】
更に、ロックされる操作機器から関連する作業件名の一覧を表示してその操作日の有無を確認するだけでその操作機器に関係する作業件名の点検作業の進捗が一目で判断できる利点がある。そして、その操作機器に関係する点検作業の操作日がすべて書き込んであればその操作機器の操作は完了しているので、復旧日を入力して操作禁止札を取り外すことで操作が可能になり、いちいち現場に出向いて操作禁止札の確認をする必要性はない。
【発明を実施するための最良の形態】
【００２８】
以下に、本発明における実施の形態について、図１〜８を参照にして詳細に説明する。
【００２９】
図１は、本発明の一実施の形態である発電プラントの点検システムの構成図である。
【００３０】
図１に示す如く、発電プラントの点検システムは、端末１０１、サーバー１０２、操作機器データベース１０３、ネットワーク１０４とから構成される。
【００３１】
端末１０１は、各部署に設置された発電プラントの点検システムを利用できる端末であり、少なくとも入力部、表示部、演算部とを備えている。
【００３２】
サーバー１０２は、発電プラントの点検システムにおいて操作機器データベース１０３内の検索、操作機器の一覧の提供、点検作業の進捗管理の情報等を端末１０１へ提供しているコンピュータである。また、少なくとも入力部、表示部、演算部、記憶部とを備えている。
【００３３】
操作機器データベース１０３は、発電プラントの点検システムにおける作業票及び操作機器等に関する情報を管理するデータベースであり、データベースとはデータの入力・更新・検索などの手順を提供し、情報の集中管理を実現するものである。例えば、作業票番号、機器コード等の情報を管理している。尚、操作機器データベース１０３の構成については、後で詳細に説明する。
【００３４】
ネットワーク１０４は、ハードウェア、ソフトウェア、データなどを共有する目的でコンピュータを結び付けた状態をいう。例えば、ＬＡＮ（Ｌｏｃａｌ  Ａｒｅａ  Ｎｅｔｗｏｒｋ）を利用して同一フロア、同一ビルないしは近隣のビル内にあるコンピュータ同士を接続したり、ＷＡＮ（Ｗｉｄｅ  Ａｒｅａ  Ｎｅｔｗｏｒｋ）を利用して遠隔地にあるコンピュータ同士を公衆回線網を使って接続したりする。
【００３５】
次に図２は、本発明の一実施の形態である操作機器データベースの構成を説明する図である。例えば、総データ数が５６５件ある２−４軸のプラントの操作機器データベースを例にして説明していく。
【００３６】
図２に示す如く、操作機器データベース１０３は、少なくとも作業票番号１０３ａ、作業件名１０３ｂ、標識番号、機器コード１０３ｃ、操作機器１０３ｄの項目から構成される。
【００３７】
作業票番号１０３ａは、各点検工事毎に付番される管理番号である。例えば、「Ｃ１１５０１０１Ｅ」のように９桁の英数字にて管理される。また、２−４軸における点検工事は全部で８９種存在する。更にまた、作業票番号毎に全データを一覧表示することができる。
【００３８】
作業件名１０３ｂは、各点検工事毎に付けられる作業の名称であり、作業票番号１０３ａと作業件名１０３ｂは対応している。例えば、作業票番号Ｃ１１５０１０１Ｅの作業件名は「２−４軸ガスタービンエンクロージャー分解点検工事」である。
【００３９】
機器コード１０３ｃは、各操作機器ごとに付番される管理番号である。例えば、「２４０５０７４」のように７桁の英数字にて管理される。また、２−４軸における点検工事の操作機器は全部で３３９台存在する。更にまた、機器コード毎に全データを一覧表示することができる。
【００４０】
操作機器１０３ｄは、各操作機器ごとに付けられる操作機器のロック操作の名称であり、機器コード１０３ｃと操作機器１０３ｄは対応している。例えば、機器コード２４０５０７４の操作機器は「Ａガスタービンコンパートメント換気ファン  ２−４Ｃ／Ｃ  電源ロック」である。
【００４１】
上述したように、２−４軸の操作機器データベース１０３の総データ数が５６５件であり、作業票番号が全部で８９種であることから、同一の作業票番号のデータが複数存在することが解る（この場合は、作業票番号Ｃ１１５０１０１Ｅのデータが６件存在している）。尚、同一の作業票番号で機器コードが重複することは無い。
【００４２】
同様に、操作機器が全部で３３９台であることからも、同一の機器コードのデータが複数存在することが解る。尚、同一の機器コードで作業票番号が重複することは無い。
【００４３】
また、各プラント毎（この場合は、２−４軸のプラント）に操作機器データベースを持つ場合を図示しているが、データベースにプラントを管理する項目を付加して、複数プラントを一つの操作機器データベースで管理してもよい。
【００４４】
次に図３は、本発明の一実施の形態である発電プラントの点検システムのメニュー画面を説明する図である。
【００４５】
図３に示す如く、メニュー画面１１０は、一覧表示欄１１１、番号・コード検索欄１１２、キーワード検索欄１１３、終了ボタン１１４とから構成される。
【００４６】
一覧表示欄１１１は、操作機器データベース１０３のデータを一覧表示させるボタンを有する。例えば、データベース内の全データを作業票番号順に表示させるボタン１１１ａと機器コード順に表示させるボタン１１１ｂとがある。尚、これらのボタンにより展開された一覧表示の画面については後で詳細に説明する。
【００４７】
番号・コード検索欄１１２は、操作機器データベース１０３内を検索欄に入力した特定の作業票番号及び機器コードで検索するボタンを有する。例えば、作業票番号検索欄１１２ａと機器コード検索欄１１２ｂと検索実行ボタン１１２ｃ、１１２ｄとがある。作業票番号で検索する場合には作業票番号検索欄１１２ａに作業票番号（この場合は、Ｃ１１５０１０１Ｅ）を入力し、検索実行ボタン１１２ｃを押下する。また、機器コードで検索をする場合には機器コード検索欄１１２ｂに機器コードを入力し、検索実行ボタン１１２ｄを押下する。尚、検索実行後に展開される検索結果の画面については後で詳細に説明する。
【００４８】
キーワード検索欄１１３は、操作機器データベース１０３内を検索欄に入力した特定のキーワードで検索するボタンを有する。例えば、作業票キーワード検索欄１１３ａと機器キーワード検索欄１１３ｂと検索実行ボタン１１３ｃ、１１３ｄとがある。作業票のキーワードで検索する場合には作業票キーワード検索欄１１３ａにキーワードを入力し、検索実行ボタン１１３ｃを押下する。また、機器のキーワードで検索する場合には機器キーワード検索欄１１３ｂにキーワードを入力し、検索実行ボタン１１３ｄを押下する。尚、検索実行後に展開される検索結果の画面については後で詳細に説明する。
【００４９】
終了ボタン１１４は、発電プラントの点検システムを終了する場合に押下するボタンである。
【００５０】
次に図４（Ａ）は本発明の一実施の形態である発電プラントの点検システムの作業票ロック機器の画面を説明する図であり、図４（Ｂ）は操作一括入力欄を説明する図であり、図４（Ｃ）は操作一括入力ボタン押下後の作業票ロック機器画面の一部を示した図である。
【００５１】
作業票ロック機器の画面１２０は、メニュー画面１１０の番号・コード検索により展開される画面である。検索時に指定した作業票番号と操作機器データベース１０３上の作業票番号１０３ａとが一致するデータを抽出し、表示している。尚、機器コードによる検索結果の画面は後で詳細に説明する。
【００５２】
図４（Ａ）に示す如く、作業票ロック機器の画面１２０は、操作一括入力欄１２１、復旧一括入力欄１２２、検索内容欄１２３、検索結果表示欄１２４、戻るボタン１２５とから構成される。
【００５３】
操作一括入力欄１２１は、図４（Ｂ）に示す如く、操作月日欄１２１ａ、操作者欄１２１ｂ、操作一括入力ボタン１２１ｄとを有する。ここでいう「操作」とは、工事を開始するにあたり操作機器の分解点検を行っても構わないよう電源・バルブ等のロック操作を行うことをいう。
【００５４】
操作月日欄１２１ａは、操作機器にロック操作を行った日付けを入力する欄である。例えば、各部署に設置してある端末１０１の入力部により日付けを直接入力してもよく、また点検システムを利用している日付け（例えば、２００５年４月２８日）がデフォルトで表示されるようにしてもよい。
【００５５】
操作者欄１２１ｂは、ロック操作を行った者の名前を入力する欄である。例えば、操作月日欄と同様に端末１０１より名前を直接入力してもよく、また操作者リスト１２１ｃに予め名前を登録しておき、名前を選択（この場合は、〇野）することで容易に入力できるようにしてもよい。
【００５６】
操作一括入力ボタン１２１ｄは、操作月日欄１２１ａ及び操作者欄１２１ｂのデータを操作月日・操作氏名欄１２４ｄに一括で入力できるボタンである。例えば、端末１０１を用いて日付けと名前を直接入力する場合には８回操作を行う必要があるが、操作一括入力ボタン１２１ｄを用いる場合には１回のボタン操作で図４（Ｃ）に示すように入力される。これにより、入力の簡略化が実現できる。尚、操作月日欄及び操作氏名欄の一部分のみに入力する場合は一括ボタンを用いずに、端末より直接入力すればよい。
【００５７】
復旧一括入力欄１２２は、復旧月日欄、復旧操作者欄、復旧一括入力ボタンとを有する。ここでいう「復旧」とは、工事が完了した操作機器のロック解除等の復旧操作を行い、通常の状態へと復旧する操作をいう。尚、操作機器への「ロック操作」と「復旧操作」という違いがあるが、上述した操作一括入力欄１２１の説明と類似するので説明は省略する。
【００５８】
検索内容欄１２３は、検索内容を表示する欄であり、作業票番号欄と作業件名欄とを有する。例えば、作業票番号欄にはメニュー画面１１０の作業票番号検索欄１１２ａの内容を表示し、作業件名欄には対応する作業件名１０３ｂを操作機器データベース１０３より抽出して表示する。
【００５９】
検索結果表示欄１２４は、検索内容と一致したデータを操作機器データベース１０３より抽出して各項目を表示するものである。例えば、機器詳細ボタン１２４ａ、標識番号欄、機器コード欄１２４ｂ、操作機器欄１２４ｃ、操作月日欄・操作氏名欄１２４ｄ、復旧月日・復旧氏名欄１２４ｅとを有する。機器詳細ボタン１２４ａとは、機器コード（この場合は、２４０５０７４）の機器画面へと展開するボタンであり、同一機器コードで異なる作業票番号の一覧を表示する。尚、機器画面の詳細については後で詳細に説明する。また、各項目欄については上述している為、説明は省略する。
【００６０】
戻るボタン１２５は、現在展開している画面の一つ前に展開した画面へと戻るボタンである。例えば、図４（Ａ）の画面の前にメニュー画面１１０を展開していた場合には、ボタンの押下によりメニュー画面へと戻る。
【００６１】
尚、機器コードで昇順に表示している作業票ロック機器画面を図示したが、機器コードで降順に表示してもよく、また表示順を選択できるようにしてもよい。また、データ量が多く複数ページに渡って表示させる場合には、画面の一部（例えば、左下部）にページ操作を行うボタンを設けてもよい。
【００６２】
次に図５（Ａ）は本発明の一実施の形態である発電プラントの点検システムの機器画面を説明する図であり、図５（Ｂ）はロック操作又は復旧操作後の機器画面の一部を説明する図である。
【００６３】
機器画面１３０は、メニュー画面１１０の番号・コード検索により展開される画面である。検索時に指定した機器コードとデータベース上の機器コード１０３ｃとが一致するデータを操作機器データベース１０３より抽出し表示している。
【００６４】
図５（Ａ）に示す如く、機器画面１３０は、操作一括入力欄１３１、復旧一括入力欄１３２、検索内容欄１３３、検索結果表示欄１３４、戻るボタン１３５とから構成される。
【００６５】
操作一括入力欄１３１は、操作月日欄、操作者欄、操作一括入力ボタンとを有する。
【００６６】
復旧一括入力欄１３２は、復旧月日欄、復旧操作者欄、復旧一括入力ボタンとを有する。
【００６７】
尚、操作一括入力欄１３１及び復旧一括入力欄１３２の詳細については上述したので省略する。また、図５（Ｂ）に示す如く、一括入力ボタンを用いなくとも、操作月日・操作者欄１３４ｄまたは復旧月日・復旧者欄１３４ｅに、端末１０１を用いて直接入力することもできる。
【００６８】
検索内容欄１３３は、標識番号欄、機器コード欄、ロック機器欄とを有する。例えば、機器コード欄は、メニュー画面１１０の機器コード検索欄１１２ｂに入力された内容を表示する。ロック機器欄は、機器コードに対応する操作機器１０３ｄを操作機器データベース１０３より抽出し、表示する。
【００６９】
検索結果表示欄１３４は、検索内容と一致するデータを操作機器データベース１０３より抽出した結果の一覧である。例えば、作業票詳細ボタン１３４ａ、作業票番号欄１３４ｂ、ロック機器を含む作業票１３４ｃ、操作月日欄・操作者欄１３４ｄ、復旧月日・復旧者欄１３４ｅとを有する。作業票詳細ボタン１３４ａとは、ボタンと対応する作業票番号（この場合は、Ｃ１１５０１０１Ｅ）の作業票ロック機器画面へと展開するボタンであり、同一作業票番号で異なる機器コードの一覧を表示する。尚、各項目欄は上述している為、説明は省略する。
【００７０】
戻るボタン１３５は、現在展開している画面の一つ前に展開した画面へと戻るボタンである。
【００７１】
尚、作業票ロック機器画面と同様に、降順表示や表示順の選択をできるようにしてもよく、また画面の一部（例えば、左下部）にページ操作を行うボタンを設けてもよい。
【００７２】
次に図６は本発明の一実施の形態である発電プラントの点検システムの一覧表示画面を説明する図である。
【００７３】
図６に示す如く、一覧表示画面１４０は、操作機器データベース１０３内のデータを作業票番号順（又は機器コード順）に一覧表示する画面である。一覧表示画面は、メニュー画面１１０の作業票番号順ボタン１１１ａ（又は機器コード順ボタン１１１ｂ）の押下により展開される。
【００７４】
一覧表示画面１４０は、表示欄１４１、表示条件欄１４２、戻るボタン１４３とを有する。
【００７５】
表示欄１４１は、作業票詳細ボタン、機器詳細ボタン、作業票番号欄、作業件名欄、機器コード欄、操作機器欄、標識番号欄、操作月日・氏名欄、復旧月日・氏名欄とを有する。尚、各ボタン及び項目欄については上述したので説明は省略する。また、表示欄１４１中の表示順序は変動してもよい。例えば作業票番号順の表示の場合には、画面左より作業票詳細ボタン、作業票番号欄、作業件名欄、機器詳細ボタン、機器コード欄、操作機器欄、標識番号欄、操作月日・氏名欄、復旧月日・氏名欄とし、機器コード順の表示の場合には、画面左より機器詳細ボタン、機器コード欄、操作機器欄、作業票詳細ボタン、作業票番号欄、作業件名欄、標識番号、操作月日・氏名欄、復旧月日・氏名欄とする。
【００７６】
表示条件欄１４２は、一覧表示させる条件を選択するボタンを有する。例えば、作業票番号順による表示の場合には、操作未完機器ボタン、操作完了機器ボタン、操作未復旧機器ボタン、復旧完了機器ボタン、全部ボタンを有する。それぞれの表示形式は、操作機器のロック操作が未完了の機器のみを表示、操作機器のロック操作が完了の機器のみを表示、操作機器の復旧操作が未完了の機器のみを表示、操作機器の復旧操作が完了の機器のみを表示、無条件に全件を表示するものである。また、機器コード順による表示の場合には、操作未完機器を含む作業票ボタン、操作完了作業票ボタン、操作未復旧を含む作業票ボタン、復旧完了作業票ボタン、全部ボタンを有する。表示形式は「機器」と「作業票」の違いがあるが、上述した内容と類似するので説明は省略する。更にまた、これらのボタンにより作業の進捗を容易に確認することができる。
【００７７】
戻るボタン１４３は、現在展開している画面の一つ前に展開した画面へと戻るボタンである。
【００７８】
尚、作業票番号で昇順に表示している一覧表示画面を図示したが、作業票番号の降順で表示してもよく、また表示順を選択できるようにしてもよい。また、データ量が多く複数ページに渡って表示させる場合には、画面の一部（例えば、左下部）にページ操作を行うボタンを設けてもよい。また、機器コード順に一覧表示した場合も同様である。
【００７９】
次に図７は本発明の一実施の形態である発電プラントの点検システムのキーワード検索による検索結果画面を説明する図である。
【００８０】
図７に示す如く、キーワード検索結果画面１５０は、操作機器データベース１０３内のデータを作業票キーワード（又は機器キーワード）で検索し、抽出結果を表示する画面である。メニュー画面１１０のキーワード検索欄１１３に作業票（又は機器のキーワード）を入力し、検索実行ボタンの押下により展開される。
【００８１】
キーワード検索結果画面１５０は、キーワード検索の内容欄１５１、表示欄１５２、表示条件欄１５３、戻るボタン１５４とから構成される。
【００８２】
キーワード検索の内容欄１５１は、検索する内容を表示する欄であり、キーワード表示欄を有する。例えば、キーワード表示欄には、メニュー画面１１０のキーワード検索欄１１３に入力した内容（例えば、油ポンプ）が表示される。
【００８３】
表示欄１５２は、作業票詳細ボタン、作業票番号欄、作業件名欄、機器詳細ボタン、機器コード欄、操作機器欄、標識番号欄、操作月日・氏名欄、復旧月日・氏名欄とを有する。尚、各ボタン及び項目欄については上述したので説明は省略する。また、一覧表示画面と同様に表示欄１５２中の表示順序を変動してもよい。
【００８４】
表示条件欄１５３は、一覧を表示させる条件を選択するボタンを有し、操作未完機器を含む作業票ボタン、操作完了作業票ボタン、操作未復旧を含む作業票ボタン、復旧完了作業票ボタンである。尚、各ボタンについては上述したので説明は省略する。
【００８５】
戻るボタン１５４は、現在展開している画面の一つ前に展開した画面へと戻るボタンである。
【００８６】
尚、一覧表示画面と同様に、降順表示や表示順の選択をできるようにしてもよく、画面の一部（例えば、左下部）にページ操作を行うボタンを設けてもよい。また、機器コード順に一覧表示した場合も同様である。
【００８７】
最後に図８は、本発明の一実施の形態である発電プラントの点検システムにおける点検作業の流れを説明するフローチャートである。
【００８８】
例えば２−４軸の点検工事期間中において、作業票番号がＣ１１５０１０１ＥとＣ１１５０１０１Ｆの工事を平行して行う場合を説明する。尚、先に作業票番号Ｃ１１５０１０１Ｆの工事が完了しているとする。
【００８９】
まず、点検工事の作業票を作成する（ステップＳ１）。例えば、工事担当の者が２−４軸の点検工事における作業票を作成し、前記作業票には作業票番号とそれに対応する機器コードを記載する。尚、作業票は各点検工事毎に２枚ずつ作成される。
【００９０】
次に、作業票に記載してある操作機器のロック状況を確認する（ステップＳ２）。例えば、作業担当の者はステップＳ１で受領した作業票の作業票番号（この場合は、Ｃ１１５０１０１Ｅ）を、メニュー画面の作業票番号検索欄１１２ａに入力し、検索実行ボタン１１２ｃを押下する（図３参照）。それにより、作業票番号Ｃ１１５０１０１Ｅの作業票ロック機器画面が展開される（図４（Ａ）参照）。前記作業票ロック機器画面の機器コード１２４ｂ（この場合は、２４０５０７４、２４０５０７６、２４０５０８１等）に対応する操作月日・操作氏名欄１２４ｄが空白であることから、当該工事では全ての操作機器にロック操作を行っていないことが解る。同様に作業表番号Ｃ１１５０１０１Ｆのロック状況も確認する。
【００９１】
次に、前記操作機器が他の作業票で既にロック操作が行われているか否かの判断を行う（ステップＳ３）。これは、一つの操作機器が複数の点検工事にまたがることがある為、他の作業票で既にロック操作が行われているか否かを確認するものである。例えば、前記作業票ロック機器画面の機器コード２４０５０７４の機器詳細ボタンを押下すると、同一の機器コードで異なる作業票の一覧画面が展開される（図５（Ａ）参照）。そして、作業票番号Ｃ１１５０１０１Ｇ、Ｃ１１５０１０１Ｊ、Ｃ１１５０１０１６の操作月日・操作者１３４ｄに日付けが入力されていることから、既に前記操作機器のロック操作は完了となっていることが解る。
【００９２】
そしてステップＳ３の判断の結果、他の作業票で既にロック操作が完了している場合には（ステップＳ３のＹｅｓ）、作業票番号が対応する操作月日・操作者欄１３４ｄへ操作月日及び操作者名の入力（ステップＳ５）のみを行う。例えば、作業票番号Ｃ１１５０１０１Ｅ、Ｃ１１５０１０１Ｆの操作月日・操作者欄１３４ｄには日付け（この場合は、２００５／０４／２８）と名前（この場合は、〇野）を入力する（図５（Ｂ）参照）。その後作業担当の者はステップＳ１の作業票の１つを保管し、他方を工事担当課へ渡す。
【００９３】
一方、他の作業票でもロック操作が未完了の場合には（ステップＳ３のＮｏ）、操作機器のもとへ行きロック操作を行い、操作機器に操作禁止札の取付けを行う（ステップＳ４）。その後ステップＳ５の処理へと続く。
【００９４】
次に、工事が着手される（ステップＳ６）。例えば、最初に工事担当課はステップＳ５で受領した作業票の機器のロック状況を確認する。その後操作機器の分解点検や修理といった作業を行う。
【００９５】
そして、工事が完了する（ステップＳ７）。例えば、工事担当課は前記工事が完了し、復旧できる状態になったら、ステップＳ５で受領した作業票を作業担当の者へ渡す。その後作業担当の者は手元に作業票が２つ揃ったことを確認する。尚、作業票が２つ揃うことにより復旧操作が可能な状態となる。
【００９６】
次に、工事が完了した前記操作機器の他の作業票におけるロック状況を確認する（ステップＳ８）。例えば、ステップＳ３と同様の手順で他の作業票番号の復旧月日・復旧者欄１３４ｅの入力の有無を確認する。
【００９７】
次に、操作機器が他の作業票でロック状態にあるか否かの判断を行う（ステップＳ９）。これは前記操作機器が、他の作業票において未だロック状態にあるか否かを確認するものである。例えば、作業票番号Ｃ１１５０１０１Ｅ以外の復旧月日・復旧者欄１３４ｅの日付けが入力されている為、他の作業票ではロック状態から復旧されたことが解る（図５（Ｂ）参照）。
【００９８】
そしてステップＳ９の判断の結果、全ての作業票または一部の作業票においてロック状態の場合には（ステップＳ９のＹｅｓ）、未だ操作機器をロック状態にしておく必要がある為、作業票番号が対応する復旧月日・復旧者欄１３４eへ復旧操作を行った月日及び氏名の入力（ステップＳ１１）のみを行い、作業は完了する。
【００９９】
一方、全ての作業票においてロック状態が復旧している場合には（ステップＳ９のＮｏ）、操作機器のもとへ行き、復旧操作を行い、操作禁止札の回収を行う（ステップＳ１０）。例えば、作業票番号Ｃ１１５０１０１Ｅ及びＣ１１５０１０１Ｆの作業の完了により機器コード２４０５０７４は全ての作業が完了する為、復旧操作が行われ、操作禁止札の回収が行われる（図５（Ｂ）参照）。その後、ステップＳ１１へと続き、作業は完了する。
【０１００】
そして復旧作業の完了した作業票は保管または破棄される。
【０１０１】
尚、複数の作業票が平行に作業されていく場合を上述したが、作業票毎に個別に工事を行っても良い。また、作業票番号検索から操作機器のロック状況を確認し工事を行っていく場合を上述したが、機器コード検索から作業票番号のロック状況を確認して、工事を進めていっても良い。
【図面の簡単な説明】
【０１０２】
【図１】本発明の一実施の形態である発電プラントの点検システムの構成図である。
【図２】本発明の一実施の形態である操作機器データベースの構成を説明する図である。
【図３】本発明の一実施の形態である発電プラントの点検システムのメニュー画面を説明する図である。
【図４】（Ａ）は本発明の一実施の形態である発電プラントの点検システムの作業票ロック機器の画面を説明する図であり、（Ｂ）は操作一括入力欄を説明する図であり、（Ｃ）は操作一括入力ボタン押下後の作業票ロック機器画面の一部を示した図である。
【図５】（Ａ）は本発明の一実施の形態である発電プラントの点検システムの機器画面を説明する図であり、（Ｂ）はロック操作又は復旧操作後の機器画面の一部を説明する図である。
【図６】本発明の一実施の形態である発電プラントの点検システムの一覧表示画面を説明する図である。
【図７】本発明の一実施の形態である発電プラントの点検システムのキーワード検索による検索結果画面を説明する図である。
【図８】本発明の一実施の形態である発電プラントの点検システムにおける点検作業の流れを説明するフローチャートである。
【図９】従来の発電ユニットの構成図である。
【図１０】従来の一般的な発電ユニットの概略図である。
【符号の説明】
【０１０３】
１０１      端末
１０２      サーバー
１０３      操作機器データベース
１０４      ネットワーク
１１０      メニュー画面
１２０      作業票ロック機器画面
１３０      機器画面
１４０      一覧表示画面
１５０      キーワード検索結果画面
【図１】
2007047992.tif 000003
【図２】
2007047992.tif 000004
【図３】
2007047992.tif 000005
【図４】
2007047992.tif 000006
【図５】
2007047992.tif 000007
【図６】
2007047992.tif 000008
【図７】
2007047992.tif 000009
【図８】
2007047992.tif 000010
【図９】
2007047992.tif 000011
【図１０】
2007047992.tif 000012